(57)【特許請求の範囲】
【請求項１】
機枠体の一側部に投入口を設けたカッター装置を配置し、
このカッター装置により切断された細断片がコンベア搬送体により移動されるとともに、この細断片のコンベア搬送体移動終端が、投入口が設けられている同一側部へ設置されて、処理用紙原料を投入する作業者が投入作業とともに回収作業可能に構成され、
前記機枠体内のコンベア搬送体傾斜上方空間にエンジンを設置し、
該エンジン動力を油圧動力源とバッテリー電源とに動力分配して、
油圧動力によってカッター装置を駆動し、
バッテリー電源により細断片のコンベア搬送体用駆動モーターを駆動するように動力源と一体に構成したことを特徴とした機密処理用紙等の細断機。
【発明の詳細な説明】
【０００１】
【産業上の利用分野】
本発明は機密処理用紙等の細断機に関するもので、特に業務用等の比較的大量に処理する場合の構成に関する。
【０００２】
【従来の技術】
機密処理用紙、廃本、及びダンボール包装紙等の細断機は、従来一般事務用として上部にカッター装置を設け下方に細断片を収納する袋を設置しているものが多数知られる。
一方で金融関係や公設団体は、大型の処理細断機のシステム装置が導入されている。
【０００３】
【発明が解決しようとする課題】
業務上、一定量の機密処理文書等が発生する企業体においては、事務所や倉庫の一角を活用して細断機を設置するところもあるが、原料の投入口から排出格納部所まで不要に横長スペースや縦長スペースを必要として、面積空間利用上非効率的であった。
又、処理業者によるトラック等に細断装置を搭載して移動する出前サービス的システムによる場合では、トラック荷台空間の効率活用が必要になり、さらに電源への接続作業等がわずらわしい問題があった。
【０００４】
【課題を解決するための手段】
前記した問題を解決するため、機枠体の一側部に投入口を設けたカッター装置を配置し、このカッター装置により切断された細断片がコンベア搬送体により移動されるとともに、この細断片のコンベア搬送体移動終端が、投入口が設けられている同一側部へ設置されて、処理用紙原料を投入する作業者が投入作業とともに回収作業可能に構成され、前記機枠体内のコンベア搬送体傾斜上方空間にエンジンを設置し、該エンジン動力を油圧動力源とバッテリー電源とに動力分配して、油圧動力によってカッター装置を駆動し、バッテリー電源により細断片のコンベア搬送体用駆動モーターを駆動するように動力源と一体に構成したことを特徴とした機密処理用紙等の細断機を提供する。
【０００５】
【作用】
前記した構成による細断機は、事務所一角の壁際に効率的に設置できて、処理用紙等の投入作業者は投入作業をしながら、同一の場所で細断片の収納管理や回収作業の連続作業ができる。
又、動力源にエンジンを採用し、機枠体の排出搬送体の空間部に設置して、油圧源とバッテリー電源に分配して機枠体内の空間を伝動伝達したので外観全体がコンパクトに設定されて、倉庫のスペースやトラックの荷枠内のスペースも有効に活用されて作業性が向上したものである。
【０００６】
【実施例】
本発明を実施した図面に基づいて構成を説明する。
図１は本発明を実施した前方外観斜視図、図２は後方外観斜視図、図３は一部を省略した後方斜視図、図４は平面図、図５は正面図、図６は右側面図、図７は左側面図、及び図８は後面図を示したものである。
【０００７】
図１において５は機枠体を示し、横長の箱状に形成され、前方一側には投入口１が設置される。２はテーブルを示し、処理用紙等の作業者が材料を一旦、投入準備の為に載置して適宜に整列するものである。３は操作スイッチを示し、エンジンの起動、搬送体であるコンベア等の運転指示を与える。４は作業レバーを示し、内部のカッター装置の操作やエンジンのアクセル制御をする。６は制御盤を示し、電源モーターやスイッチ及び運転制御をするものである。７は立ち上げコンベアの終端を示し、終端に臨ませて回収具８が設置されている。投入作業者の横側に接近して回収具８は設置されている。
【０００８】
図２において１０は排気口を示し、内部のエンジンの排気をする。２７は掃除フタを示す。７は立ち上げコンベアを示す。
【０００９】
図３において１３はカッター装置を示し、公知である上下に一対の刃が配置され、投入された処理用紙等が細巾のチップ片に細断されてシュート１５、傾斜板１７によって横送りコンベア１１の上に落下する。横送りコンベア１１は一方へ搬送してホッパー１２へ落下させる。ホッパー１２へ落下した細断片は立ち上げコンベア７によって上昇して、投入作業者の横側に設置した回収具８へ投入される。
【００１０】
Ｓ１は横送りコンベア１１の上方に設けたシュート１５内の満量センサーを示し、Ｓ２は立ち上げコンベア７の上方に設けたホッパー１２の満量センサーを示す。１６は油圧源用の作動タンクを示し、Ｓ３は作動油の温度を検知するセンサーである。１８は作動油タンクの冷却ファンを示す。
【００１１】
図４において１９はエンジンを示し、立ち上げコンベア１７の基端部の上方空間に設置され、カップリング２０を介して油圧ポンプ２１を駆動し、一方でバッテリー２２を充電する。
【００１２】
図５において１３はカッター装置で、上下一対の刃が一部重合されて配置されている。刃１４の下方に位置する入力軸には、スプロケット２５が固着されている。２３は油圧モーターを示し、前記した油圧ポンプ２１から油圧力が伝動されて、２６のスプロケットを介してスプロケット２５を介してカッター装置１３を駆動する。
【００１３】
図６は右側面を示したもので、横長状の機枠体５の立ち上げコンベア７の下端部に設けたホッパー１２の上方空間にエンジン１９を配置し、油圧ポンプ２１を直接カップリング２１によって駆動したものである。そして、この油圧力を機枠体５内部のコーナー部を油圧ホースによってカッター装置１３側の油圧モーター２３を駆動する。従って、従来はエンジン１９からの機械的ミッションによる伝達では大型したり不要な突出部を有していたが、この伝達構成によって横長の機枠体が全体としてコンパクトな形状に納まって、設置する場所の空間を効率的に活用できた。２８は駆動モーターで、２２のバッテリーと連結されて立ち上げコンベアを駆動する。
【００１４】
図７は左側面図を示し、２３の油圧モーターはスプロケット２６を回転させ、２７のチェーンを介して２５のスプロケットを回転させてカッター装置１３の上下の刃を駆動するものである。
【００１５】
図８は後面図を示し、横送りコンベア１１が横設されて、細断片を立ち上げコンベアのホッパー１２へ搬送するものであり、バッテリー２２に連結された２９の駆動モーターにより回転して細断片を搬送する。
【００１６】
【効果】
以上の構成により、機密処理用紙等の細断装置の据付場所が壁際に近接できるので、スペースが効率的に活用できるとともに、一人作業で投入作業と同時に連続回収作業もできるようになり便利になった。又、トラック等の荷台搭載用として荷台の端縁に設置可能で荷台面積も有効活用でき、電源のない場所でも単独で作業ができて便利である。
【図面の簡単な説明】
【図１】  前方外観斜視図
【図２】  後方外観斜視図
【図３】  一部を省略した後方斜視図
【図４】  平面図
【図５】  正面図
【図６】  右側面図
【図７】  左側面図
【図８】  後面図
【符号の説明】
１  投入口
２  テーブル
３  操作スイッチ
４  作業レバー
５  機枠体
６  制御盤
７  立ち上げコンベア
８  回収具
９  換気口
１０  排気口
１１  横送りコンベア
１２  ホッパー
１３  カッター装置
１４  刃
１５  シュート
１６  作動油タンク
１７  傾斜板
Ｓ１、Ｓ２  満量センサー
Ｓ３  温度センサー
１８  冷却ファン
１９  エンジン
２０  カップリング
２１  油圧ポンプ
２２  バッテリー
２３  油圧モーター
２４  燃料タンク
２５、２６  スプロケット
２７  掃除フタ
２８、２９  駆動モーター
【図１】
0003852028.tif 000002
【図２】
0003852028.tif 000003
【図３】
0003852028.tif 000004
【図４】
0003852028.tif 000005
【図５】
0003852028.tif 000006
【図６】
0003852028.tif 000007
【図７】
0003852028.tif 000008
【図８】
0003852028.tif 000009